(57)【要約】 【課題】簡便に使用でき、毛穴に形成される硬い固形状の汚れ、特に角栓の除去効果に優れ、刺激性が少なく、さらには、洗い上がりの肌感触が良好な洗浄剤組成物を提供する。【解決手段】（Ａ）１種又は2種以上の非イオン界面活性剤で構成され、単独又は混合界面活性剤のＨＬＢが１０以上、１５以下である非イオン界面活性剤  ５質量％以上、５０質量％以下（Ｂ）３０℃における粘度が１５ｍＰａ・ｓ以下である油剤  ８質量％以上、３９質量％以下（Ｃ）炭素数が２以上、６以下であり、水酸基を１または２有する化合物  １０質量％以上、５０質量％以下（Ｄ）（メタ）アクリル酸を構成単位として含む水溶性ポリマー、アクリロイルメチルタウレート・ビニルピロリドン共重合体から選ばれる１種類以上を合計で０．０１質量％以上、５質量％以下（Ｅ）水  １０質量％以上、５２質量％以下を含み、（Ａ）／（Ｂ）で示される質量比が３／７以上、３／１以下であるＯ／Ｗ型エマルジョンの洗浄剤組成物。【選択図】図１
2011012252.tif 000002
【特許請求の範囲】
【請求項１】
次の成分（Ａ）〜（Ｅ）：
（Ａ）１種の非イオン界面活性剤又は２種以上の非イオン界面活性剤を混合した混合界面活性剤で構成され、１種の前記非イオン界面活性剤又は前記混合界面活性剤のＨＬＢが１０以上、１５以下である非イオン界面活性剤  ５質量％以上、５０質量％以下
（Ｂ）３０℃における粘度が１５ｍＰａ・ｓ以下である油剤  ８質量％以上、３９質量％以下
（Ｃ）炭素数が２以上、６以下であり、水酸基を１または２有する化合物  １０質量％以上、５０質量％以下
（Ｄ）（メタ）アクリル酸を構成単位として含む水溶性ポリマー、又はアクリロイルメチルタウレート・ビニルピロリドン共重合体から選ばれるポリマー  ０．０１質量％以上、５質量％以下
（Ｅ）水  １０質量％以上、５２質量％以下
を含み、
（Ａ）／（Ｂ）で示される質量比が３／７以上、３／１以下であるＯ／Ｗ型エマルジョンの洗浄剤組成物。
【請求項２】
さらに、（Ｃ）／（Ｅ）で示される質量比が１／５以上、５／１以下である請求項１記載の洗浄剤組成物。
【請求項３】
前記（Ｄ）の水溶性ポリマーが、アクリル酸・メタアクリル酸アルキル共重合体である請求項１又は２記載の洗浄剤組成物。
【請求項４】
前記（Ｃ）が、グリコール類である請求項１乃至３のいずれかに記載の洗浄剤組成物。
【発明の詳細な説明】
【技術分野】
【０００１】
本発明は、洗浄剤組成物に関する。
【背景技術】
【０００２】
女性の肌悩みで上位を占めるものの一つとして、毛穴の目立ちが挙げられる。これは、毛穴に形成される汚れ（柔らかいバター状の汚れや、硬い固形状の汚れ（たとえば角栓））に起因するところが大きい。これらの毛穴の汚れは、皮膚表面の汚れに比べて除去しにくい。しかし、毛穴の汚れを放置することは、毛穴の目立ちのみならず、にきびや種々の肌トラブルを引き起こす。したがって、毛穴の汚れを除去することは、美容上および肌の健康上好ましいことである。
【０００３】
従来、毛穴汚れの除去を目的として、粘土鉱物等の粉末を含有するクレイパック化粧料（特許文献１参照）や、毛穴皮脂を溶解するポリオールを応用した非水系の洗顔料が提案されている（特許文献２参照）。これらの化粧料・洗顔料では、毛穴に貯留している液体の脂、柔らかいバター状の皮脂成分を除去することができるが、硬い固形状の汚れ、特に角栓を除去することが困難であった。
毛穴に形成される硬い固形状の汚れ、特に角栓を除去する方法としては、シート剤の貼付やパック剤の塗布が行われている（特許文献３，４参照）。
さらに、角栓を除去する方法として、所定の粘度の油分を有する化粧料を用いて、皮膚をマッサージする方法が提案されている（特許文献５参照）。
【先行技術文献】
【特許文献】
【０００４】
【特許文献１】特開平３−１９０８１０号公報
【特許文献２】特開平８−５９４５５号公報
【特許文献３】特開平９−１９４３２５号公報
【特許文献４】特開平８−１０９１１９号公報
【特許文献５】特開２００２−２４１２６０号公報
【発明の概要】
【発明が解決しようとする課題】
【０００５】
しかしながら、従来の方法では、以下のような課題が生じている。
特許文献３や特許文献４では、シート剤を皮膚に貼付、あるいはパック剤で毛穴を包み込んで、これらに毛穴の汚れである角栓を吸着させた後、シート剤やパック剤を剥離して、同時に角栓も除去する。この方法では、使用部位に予め水をつけるなどの前処理を行わなければいけないことや、剥離前に乾燥させる必要があるなど、面倒であった。
また、特許文献５に記載された方法は、主基剤の油分が角栓を溶解する効果を利用したものであり、ある程度の角栓除去効果はあるものの根本的に角栓を取り去るには十分満足できるものではなかった。さらに、油剤が大量に配合されているものは、洗い上がりの肌に油性感が残留してべたつきを生じるという問題があった。
このように、簡便に使用でき、毛穴に形成される硬い固形状の汚れ、特に角栓の除去効果に優れ、さらには、洗い上がりの良好な肌感触を満足するものはなかった。
【０００６】
本発明は、簡便に使用でき、毛穴に形成される硬い固形状の汚れ、特に角栓の除去効果に優れ、さらには、洗い上がりの肌感触が良好な洗浄剤組成物を提供するものである。
【課題を解決するための手段】
【０００７】
本発明者は、（Ａ）非イオン界面活性剤、（Ｂ）油剤、（Ｃ）炭素数が２以上、６以下であり、水酸基を１または２有する化合物、（Ｄ）特定の水溶性ポリマー、（Ｅ）水を組み合わせて、Ｏ／Ｗ型の乳化組成物とすることで、特定の相状態をとり、上記の課題を解決できることを見出した。
【０００８】
すなわち、本発明は、
次の成分（Ａ）〜（Ｅ）：
（Ａ）１種の非イオン界面活性剤又は２種以上の非イオン界面活性剤を混合した混合界面活性剤で構成され、１種の前記非イオン界面活性剤又は前記混合界面活性剤のＨＬＢが１０以上、１５以下である非イオン界面活性剤  ５質量％以上、５０質量％以下
（Ｂ）３０℃における粘度が１５ｍＰａ・ｓ以下である油剤  ８質量％以上、３９質量％未満
（Ｃ）炭素数が２以上、６以下であり、水酸基を１または２有する化合物  １０質量％以上、５０質量％以下
（Ｄ）（メタ）アクリル酸を構成単位として含む水溶性ポリマー、又はアクロイルメチルタウレート・ビニルピロリドン共重合体から選ばれる１種類以上を合計で  ０．０１質量％以上、５質量％以下
（Ｅ）水  １０質量％以上、５２質量％以下
を含み、
（Ａ）／（Ｂ）で示される質量比が３／７以上、３／１以下であるＯ／Ｗ型エマルジョンの洗浄剤組成物を提供するものである。
ここで、各成分の含有量は、洗浄剤組成物全体を１００とした場合におけるものである。
【発明の効果】
【０００９】
本発明によれば、簡便に使用でき、毛穴に形成される硬い固形状の汚れ、特に角栓の除去効果に優れ、さらには、洗い上がりの肌感触が良好な洗浄剤組成物が提供される。
【図面の簡単な説明】
【００１０】
【図１】（ａ）は、本発明の洗浄剤組成物の相状態図である。（ｂ）は従来の洗浄剤組成物の相状態図である。
【図２】本発明の洗浄剤組成物の相状態図である。
【図３】本発明の洗浄剤組成物の相状態図である
【発明を実施するための形態】
【００１１】
以下、本実施形態について説明する。
本発明における洗浄剤組成物は、Ｏ／Ｗ型エマルジョンである。成分（Ａ）非イオン界面活性剤、（Ｂ）３０℃における粘度が１５ｍＰａ・ｓ以下である油剤、（Ｃ）炭素数が２以上、６以下であり、水酸基を１または２有する化合物、（Ｅ）水の組成に、成分（Ｄ）（メタ）アクリル酸をモノマーの構成単位として含む水溶性ポリマー、又はアクロイルメチルタウレート・ビニルピロリドン共重合体を組み合わせることで得られる洗浄剤組成物である。この洗浄剤組成物の特徴は、水分の減少に伴い、Ｏ／Ｗ型エマルジョンエリア、隣り合った等方性1液相エリア、油相エリアの3つの領域の順に変化することである。この3つの相で洗浄することが、毛穴に形成される硬い固形状の汚れ、特に角栓を溶解する効果に優れ、角栓除去効果が高まるものである。
なお、後述する各成分の配合量は、洗浄剤組成物全体を１００とした場合におけるものである。
【００１２】
（成分（Ａ））
成分（Ａ）は、非イオン界面活性剤であり、１種の非イオン界面活性剤又は２種以上の非イオン界面活性剤からなる混合界面活性剤で構成され、前記１種の非イオン界面活性剤又は前記混合界面活性剤のＨＬＢが１０以上、１５以下である。
成分（Ａ）の混合界面活性剤のＨＬＢを１０以上、１５以下とすることで、洗浄剤組成物をＯ／Ｗ型エマルジョンとすることができる。
【００１３】
ここで、ＨＬＢ（親水性−親油性のバランス〈Hydrophilic-Lypophilic Balance〉）は、界面活性剤の全分子量に占める親水基部分の分子量を示すものであり、非イオン界面活性剤については、グリフィン（Griffin）の式により求められるものである。
２種以上の非イオン界面活性剤から構成される混合界面活性剤のＨＬＢは、次のようにして求められる。混合界面活性剤のＨＬＢは、各非イオン界面活性剤のＨＬＢ値をその配合比率に基づいて相加算平均したものである。
混合ＨＬＢ＝Σ（ＨＬＢｘ×Ｗｘ）／ΣＷｘ
ＨＬＢｘは、非イオン界面活性剤ＸのＨＬＢ値を示す。
Ｗｘは、ＨＬＢｘの値を有する非イオン界面活性剤Ｘの重量（ｇ）を示す。
【００１４】
本発明に用いる成分（Ａ）の非イオン界面活性剤は、上記の条件を満たすものであれば、特に限定されず、例えば、炭素数8〜２２の脂肪酸エステル又は、炭素数８〜２２の高級アルコールのエーテルからなり、親水性の官能基としては、水酸基、エチレンオキサイド基を有するものである。
具体的には、ポリグリセリン脂肪酸エステル、ポリエチレングリコール脂肪酸エステル、ポリオキシエチレングリセリン脂肪酸エステル、プロピレングリコール脂肪酸エステル、ポリオキシエチレンポリオキシプロピレングリコール、ソルビタン脂肪酸エステル、ポリオキシエチレンソルビタン脂肪酸エステル、ポリオキシエチレンソルビット脂肪酸エステル、ポリオキシエチレンヒマシ油、ポリオキシエチレン硬化ヒマシ油、ポリオキシエチレン硬化ヒマシ油脂肪酸エステル、ポリアルキルグリセリルエーテル、ポリオキシエチレンアルキルエーテル、ポリオキシエチレンアルキルエーテル脂肪酸エステル、ショ糖脂肪酸エステル、アルキルポリグルコシド、（ポリ）アルキルグリセリルエーテル、等が挙げられる。
【００１５】
なかでも、洗浄性の観点からポリグリセリン脂肪酸エステル、ポリエチレングリコール脂肪酸エステル、ポリオキシエチレングリセリン脂肪酸エステル、ポリオキシエチレンソルビット脂肪酸エステル、（ポリ）アルキルグリセリルエーテル、ポリオキシエチレンアルキルエーテル、ショ糖脂肪酸エステル、アルキルポリグルコシドが優れている。
特に、油性汚れに対する洗浄性の面で、ジグリセリン脂肪酸エステル、ポリエチレングリコール脂肪酸エステル、ポリオキシエチレングリセリン脂肪酸エステル、ポリオキシエチレンソルビット脂肪酸エステル、（ポリ）アルキルグリセリルエーテル、アルキルポリグルコシドが好ましい。
【００１６】
なかでも、成分（Ａ）〜（Ｅ）でつくる等方性1液相の構築に寄与し、角栓汚れに対する洗浄性の高さ、みずみずしい使用感の観点から、モノイソステアリン酸ジグリセリン（ＨＬＢ８）、ポリオキシエチレン（８）グリセリルモノイソステアレート（ＨＬＢ９）、テトラオレイン酸ポリオキシエチレンソルビット（ＨＬＢ１１）、ポリオキシエチレン（７）ヤシ油脂肪酸グリセリン（ＨＬＢ１３）、モノラウリン酸(１２)ポリエチレングリコール（ＨＬＢ１４）、炭素数８〜１６のアルキルグルコシド（ＨＬＢ１７）、２−エチルヘキシルグリセリルエーテル（ＨＬＢ７）、モノオレイン酸ジグリセリン、イソステアリルグリセリルエーテルが好ましく、１種又は２種以上混合させて使用することができる。
【００１７】
これらの成分（Ａ）は、安定性をより高める目的で、ＨＬＢが高い非イオン界面活性剤とＨＬＢが低い非イオン界面活性剤を２種以上組み合わせて用いることが好ましい。
つまり、混合した２種以上の非イオン界面活性剤の最も高いＨＬＢと最も低いＨＬＢの差が５以上ある組み合わせにすることが良く、特に７以上であることで、洗浄剤組成物の安定性を高めることに優れている。
【００１８】
成分（Ａ）の含有量は、全組成中、５質量％以上、５０質量％以下である。このようにすることで、後述する特定の相状態をとることができる。
また、成分（Ａ）の含有量は、５質量％以上、さらには、１０質量％以上、好ましくは１６質量％以上である。このようにすることで、肌とのなじみが良好で角栓を含む毛穴汚れを浮き上がらせることができる。また、成分（Ａ）の含有量は、全組成中、５０質量％以下である。なかでも、成分（Ａ）の含有量が、４０質量％以下、特に３３質量％以下であることが好ましい。このようにすることで、残留感なくすっきりと洗い流すことができる。
【００１９】
（成分（Ｂ））
本発明で用いる成分（Ｂ）の油剤は、常温で液状であり、３０℃における粘度が１５mPa・s以下である。ここで、粘度は、ＢＭ型粘度計（トキメック社製、測定条件：ローターNo.１、60rpm、３０℃）により測定するものである。
このような粘度の低い油剤は、毛穴に詰まった角栓周りへのなじみが高く、汚れの溶解性が高いため、毛穴に形成される硬い固形状の汚れ、特に角栓などの汚れに対して優れた洗浄力を有する。更に、強い油性感を伴わず、使用感も良好である。
油っぽさを緩和して、適度な使用感にする観点から、成分（Ｂ）の３０℃における粘度が、１０mPa・s以下の低粘度のものが好ましい。
【００２０】
かかる油剤としては、通常化粧料に使用される液状油の中で、上記条件を満たすものを用いることができる。例えば、流動パラフィン、流動イソパラフィン、水添ポリイソブテン、スクワラン、イソドデカン等の炭化水素油；イソステアリン酸コレステリルエステル、パルミチン酸イソプロピル、ミリスチン酸イソプロピル、ジカプリン酸ネオペンチルグリコール、イソステアリン酸イソプロピル、ミリスチン酸オクタデシル、２−エチルヘキサン酸セチル、イソノナン酸イソノニル、イソノナン酸イソトリデシル、トリ（２−エチルヘキサン酸）グリセリン、トリ（カプリル酸・カプリン酸）グリセリン等のエステル油；アルキル−１，３−ジメチルブチルエーテル、ノニルフェニルエーテル等のエーテル油；デカメチルシクロペンタシロキサン、オクタメチルシクロテトラシロキサン等のメチルシクロポリシロキサン、メチルポリシロキサン、メチルフェニルポリシロキサン等のシリコーン油；オリーブ油等の動植物油；テルペン油などを用いることができる。
【００２１】
なかでも分子量３００以下の油剤は洗浄力が高く好ましい。具体的には、軽質流動イソパラフィン、水添ポリイソブテン等の炭化水素油、ミリスチン酸イソプロピル、パルミチン酸イソプロピル、イソノナン酸イソノニル等のエステル油、オクタメチルトリシロキサン、オクタメチルシクロテトラシロキサン等のシリコーン油が挙げられる。特に、炭素数８〜１８の分岐の炭化水素油が好ましく、イソドデカンが好ましい。
【００２２】
また、成分（Ｂ）の油剤は、炭化水素油、エステル油、シリコーン油等の混合物で形成されても良い。尚、この場合は、イソパラフィンを成分（Ｂ）中３０質量％以上、好ましくは４２質量％以上を含有することが好ましい。尚、匂いの観点から炭素数８〜９の炭化水素を含まない方が好ましい。
【００２３】
炭化水素油としては、商品名でマルカゾールＲ（丸善石油化学社）、ＩＰソルベント１６２０、２０２８（以上、出光石油化学社）、アイソパーＬ、アイソパーＨ（以上、エクソン化学社）、アイソゾール３００、４００（以上、新日本石油化学社）等が挙げられ、イソドデカンを高純度に含む点から、マルカゾールＲが特に好適に用いられる。
【００２４】
成分（Ｂ）の油剤は、全組成中に８質量％以上、さらには、１０質量％以上含まれ、好ましくは１５質量％以上である。このようにすることで、十分な洗浄力を発揮できる。また、成分（Ｂ）の油剤は、全組成中に３９質量％以下、好ましくは３０質量％以下、更には２４質量％以下含有することが好ましい。このようにすることで、残留感なくすっきりと洗い流すことができる。
また、成分（Ｂ）の油剤の含有量を１０質量％以上、３９質量％以下とすることで、後述する特定の相状態をとることができる。
【００２５】
（成分（Ｃ））
本発明に用いる成分（Ｃ）の化合物は、炭素数２以上、６以下であり、水酸基を１または２を有する化合物である。これは、成分（Ａ）〜（Ｅ）でつくるＯ／Ｗ型エマルジョン、並びに等方性1液相の構築に寄与する。洗浄性の高さの観点から、具体的には、エタノール、プロパノール、イソプロパノール、ブタノール、イソブタノール等の炭素数２以上、６以下の一価アルコール；エチレングリコール、プロピレングリコール、ジエチレングリコール、ジプロピレングリコール、１，３−ブチレングリコール、１，４−ブチレングリコール、ヘキシレングリコール、イソプレングリコール等の炭素数２以上、６以下のグリコール類、ジエチレングリコールモノエチルエーテル等のエチレングリコールアルキルエーテル類が挙げられる。
なかでも、グリコール類、例えば、１，３−ブチレングリコール、イソプレングリコール、プロピレングリコール、ジプロピレングリコールは安定領域の広い等方性1液相の構築に優れている。
【００２６】
成分（Ｃ）として、化合物を１種類以上を用いることができ、全組成中に１０質量％以上含有することが十分な洗浄力を実現する観点から好ましい。また、全組成中に５０質量％以下、さらに４０質量％以下、特に３０質量％以下、さらには、２０質量％以下含有するのが使用感の観点から好ましい。さらに、成分（Ｃ）の含有量を１０質量％以上、５０質量％以下とすることで、後述する特定の相状態をとることができる。
【００２７】
（成分（Ｄ））
本発明に用いる成分（Ｄ）は、（メタ）アクリル酸を構成単位として含む水溶性ポリマー（（メタ）アクリル酸由来の構成単位を含む水溶性ポリマー）、又はアクリロイルメチルタウレート・ビニルピロリドン共重合体から選ばれる１種又は２種以上の成分を組み合わせて用いることができる。
(メタ)アクリル酸の構成単位を含む水溶性ポリマーは、(メタ)アクリル酸をモノマーとして合成したものであり、例えば、アクリル酸・メタクリル酸アルキル共重合体であり、アクリル酸とアルキル（Ｃ１０〜３０）メタクリル酸エステルの架橋型共重合体で、市販品としては例えば、ＰＥＭＵＬＥＮ  ＴＲ−１、ＰＥＭＵＬＥＮ  ＴＲ−２、カーボポールＥＴＤ２０２０（Ｌｕｂｒｉｚｏｌ  Ａｄｖａｎｃｅｄ  Ｍａｔｅｒｉａｌｓ社製）等が挙げられる。
成分（Ｄ）の(メタ)アクリル酸を構成単位として含む水溶性ポリマーは、アルカリ剤を用いて(メタ)アクリル酸の単位の全部または一部を中和することが好ましい。中和するアルカリ剤としては通常化粧料に配合可能なアルカリ剤であれば特に限定はされず、例えば水酸化カリウム、水酸化ナトリウム等を使用することができる。アルカリ剤は１種又は２種以上を組み合わせて使用することができ、全組成中に０．０１質量％以上、５質量％以下を配合し、系のｐＨを５．５〜９、特に６〜８に調整するのが好ましい。
【００２８】
成分（Ｄ）のアクリロイルメチルタウレート・ビニルピロリドン共重合体としては、市販品としては例えば、アクリロイルジメチルタウリンアンモニウム／ＶＰコポリマーで、Ａｒｉｓｔｏｆｌｅｘ  ＡＶＣ（クラリアント社製）等が挙げられ、全組成中に０．０１質量％以上、５質量％以下を配合し、系のｐＨを４〜８．５、特に５〜７に調整するのが好ましい。
【００２９】
成分（Ｄ）の(メタ)アクリル酸をモノマーの構成単位として含む水溶性ポリマー、又はアクリロイルメチルタウレート・ビニルピロリドン共重合体は、１種又は２種以上を組み合わせて用いることができる。
なお、成分（Ｄ）としては、Ｏ／Ｗ乳化組成物をつくる観点から、アクリル酸メタクリル酸アルキル共重合体が特に好ましい。
【００３０】
成分（Ｄ）は、成分（Ａ）（Ｂ）（Ｃ）（Ｅ）でつくる等方性１液相において、成分(Ｄ)が入ることで連続相を水相としたＯ／Ｗ型エマルジョンの領域を形成する。洗浄剤の剤型がＯ／Ｗ型エマルジョンであることが、毛穴周りの汚れと皮膚からの代謝物を膨潤させることができ、それにより表層の汚れが除去しやすくなり、角栓除去効果が高まるものである。
成分（Ｄ）の含有量は、前述したＯ／Ｗ型エマルジョンの領域を形成する観点から、全組成中に０．０１質量％以上、５質量％以下であることが好ましい。なかでも、０．２質量％以上、４質量％以下、さらには３質量％以下とすることで、角栓除去効果が高く、安定したＯ／Ｗ型エマルジョン、並びに等方性1液相の構築に寄与している点で優れている。
【００３１】
（成分（Ｅ））
本発明に用いる成分（Ｅ）の水は、全組成中に１０質量％以上、５２質量％以下含有される。特に２０質量％以上、５０質量％以下、さらに、４０質量％以下含有されることが好ましい。このようにすることで、Ｏ／Ｗ型エマルジョン、並びに等方性１液相の構築に寄与しており、油性感なく、洗い流すことができる。
【００３２】
（成分（Ａ）〜（Ｅ）の構成する相）
本発明における洗浄剤組成物は、Ｏ／Ｗ型エマルジョンである。成分（Ａ）、（Ｂ）、（Ｃ）、（Ｅ）の四成分系の相状態図で説明する（図１（ａ））。この相状態図は、水分の減少に伴い、Ｏ／Ｗ型エマルジョンエリア、隣り合った等方性1液相エリア、油相エリアの3つの領域が順に出現することを示している。この3つの相で洗浄することが、毛穴に形成される硬い固形状の汚れ、特に角栓を溶解する効果に優れ、角栓除去効果が高まるものである。
ここで、図１（ａ）は、成分（Ｃ）として、１，３−ブチレングリコールを使用し、水と、成分（Ｃ）との質量比を３：１とした場合の図である。成分（Ｄ）は、アクリル酸・メタクリル酸アルキル(C10-30)共重合体（Ｌｕｂｒｉｚｏｌ  Ａｄｖａｎｃｅｄ  Ｍａｔｅｒｉａｌｓ社製  ＰＥＭＵＬＥＮ  ＴＲ−１）であり、０．９質量％とした。さらに成分（Ａ）はモノイソステアリン酸ジグリセリン（ＨＬＢ８）(日清オイリオグループ社製  コスモール 41V)、テトラオレイン酸ポリオキシエチレンソルビット（ＨＬＢ１１）(花王社製  レオドール 430)、モノラウリン酸(１２)ポリエチレングリコール（ＨＬＢ１４）(花王社製  エマノーン1112HG)、アルキル(C8-16)グルコシド（ＨＬＢ１７）(40質量%水溶液)(花王社製  マイドール 10)を使用し、質量比を１０：６：２２：１５とした場合である。
【００３３】
本発明では、図１（ａ）に示すように、洗浄剤組成物を肌に塗布した状態では、洗浄剤組成物は、Ｏ／Ｗ型エマルジョンであり、連続相が水相からなる。Ｏ／Ｗ型の状態で皮膚を洗浄（皮膚になじませる）することで、毛穴周りの汚れと皮膚からの代謝物を膨潤することができ、それにより表層の汚れが除去しやすくなる。その後、必要に応じてマッサージを行う。この間に、洗浄剤組成物から水分が蒸発し、等方性1液相に変化する。
【００３４】
等方性1液相は、一般的にミセル溶液も含まれるが、ここで言う等方性1液相とは、水相・油相の双方が可溶化された状態である。この双方が可溶化され、水相、油相それぞれが連続相となり、光学的に等方性の透明または半透明の液相をバイコンティニュアス相と呼ぶ。
水相・油相の双方が可溶化された等方性1液相からなる洗浄剤組成物は、濡れ性が高く、油成分および水成分が肌になじみ、細かい部分にまで剤が行き届く。これにより、表層の汚れが除去されたところから、洗浄成分を毛穴のより深いところまで作用させることができる。さらに、必要に応じてマッサージを行い、肌になじませ、この結果、洗浄剤組成物から水分が蒸発すると、連続相が油相から構成される剤となる。この剤をさらに、必要に応じてマッサージを行い、肌になじませる。毛穴内部のより固体状の皮脂が成分（Ｂ）によって溶解され、毛穴に詰まった角栓を除去することができるのである。
【００３５】
その後、使用者が、水で肌をすすぐと、洗浄剤組成物は、油相、水相および油相がそれぞれ連続相となった等方性1液相、Ｏ／Ｗ型エマルジョンの順に相変化し、肌から容易に除去される。
【００３６】
このように、成分（Ａ）、（Ｂ）、（Ｃ）、（Ｅ）の四成分系の相状態図に、Ｏ／Ｗ型エマルジョン、等方性1液相、油相の3つの領域が出現するには、成分（Ａ）と成分（Ｂ）の質量比を（Ａ）／（Ｂ）＝３／７〜３／１にすることで、初めのＯ／Ｗ型エマルジョンエリアが出現する。なかでも、（Ａ）／（Ｂ）＝１／１〜７／３にすることで、十分な角栓の洗浄力を持ったまま、残留感なくすっきりと洗い流すことができる。（Ａ）／（Ｂ）を３／１以下とすることで、Ｏ／Ｗ型エマルジョンを形成することができ、また、（Ａ）／（Ｂ）を３／７以上とすることで、Ｏ／Ｗ型エマルジョンが形成しやすくする同時に、等方性１液相を経て油相に相変化させることができる。
【００３７】
さらに、洗浄剤組成物は、成分（Ｃ）と成分（Ｅ）の質量比が（Ｃ）／（Ｅ）＝１／５〜５／１、特に１／４〜２／１であることが、十分な角栓の洗浄力を実現することができる。（Ｃ）／（Ｅ）を５／１以下とすることで、相分離を防止して、Ｏ／Ｗ型エマルジョンを形成することができ、（Ｃ）／（Ｅ）を１／５以上とすることで、Ｏ／Ｗ型エマルジョンから等方性1液相、油相に相変化させやすくすることができる。
【００３８】
以上の作用により、本実施形態の洗浄剤組成物は、毛穴に形成される硬い固形状の汚れ、特に角栓の除去効果に優れたものとなる。また、本実施形態の洗浄剤組成物は、肌に塗布して使用し、使用後は肌を水で洗浄するだけでよいので、簡便に使用できる。また、肌にシート等を貼るタイプのものに比べ、刺激性が少ない。さらに、本実施形態の洗浄剤組成物は、Ｏ／Ｗ型エマルジョンであり、連続相が水相であるため、洗い上がりの肌感触が良好となる。
【００３９】
なお、図１（ｂ）には、比較として、図１（ａ）の洗浄剤組成物から成分（Ｄ）を除いた組成物の相状態図を示す。この組成物は、Ｏ／Ｗ型ではなく、水相、油相それぞれが連続相である等方性1液相からなるものである。肌をマッサージしていくと、相変化を起こし、油相が形成される。ただし、この図１（ｂ）に示した組成物では、角栓を除去する効果が低い。これは、後述する実施例、比較例の評価結果からも理解できる。
【００４０】
なお、図１に示した相状態図は、成分（Ｃ）として、１，３−ブチレングリコールを使用したものであるが、たとえば、図２に示すように、１，３−ブチレングリコールにかえて他の成分（Ｃ）を使用した場合であっても、同様の相状態図を描くことができ、同様の作用効果がある。
図２（ａ）は、成分（Ｃ）として、ジエチレングリコール使用した場合の相状態図、図２（ｂ）は、成分（Ｃ）としてジプロピレングリコールを使用した場合の相状態図である。水と、成分（Ｃ）との質量比は、３：１であり、成分（Ｄ）は、０．９質量％とした。
【００４１】
さらに、図３（ａ）〜（ｃ）には、水と、成分（Ｃ）との質量比を変えた相状態図を示す。これらからも、同様の相状態図を描くことができ、同様の作用効果があることがわかる。
図３（ａ）は、成分（Ｃ）として、１，３−ブチレングリコールを使用し、水と、成分（Ｃ）との質量比は、３：１であり、成分（Ｄ）は、０．５質量％とした場合の相状態図である。
また、図３（ｂ）は、成分（Ｃ）として、ジプロピレングリコール、１，３−ブチレングリコールを使用し、水と、成分（Ｃ）との質量比は、１：１であり、成分（Ｄ）は、０．５質量％とした場合の相状態図である。
図３（ｃ）は、成分（Ｃ）として、ジプロピレングリコール、１，３−ブチレングリコールを使用し、水と、成分（Ｃ）との質量比は、２：３であり、成分（Ｄ）は、０．５質量％とした場合の相状態図である。
図３（ｂ）の点線の丸で囲んだ部分は、後述する実施例１０の組成物の相変化を示している。また、図３（ｃ）の点線の丸で囲んだ部分は、後述する実施例１１の組成物の相変化を示している。
【００４２】
また、本発明において、成分（Ａ）と、成分（Ｂ）の質量比である（Ａ）／（Ｂ）を３／７〜３／１としたのは、前述したように、成分（Ａ）〜（Ｅ）の含有量の条件に加え、（Ａ）／（Ｂ）を３／７〜３／１とすることで、洗浄剤組成物Ｏ／Ｗ型エマルジョンが得られ、このＯ／Ｗ型エマルジョンは、その後、等方性1液相、油相と相変化させることができるからである。（Ａ）／（Ｂ）の質量比は、図１〜図３のように、各成分を変えて、相状態図を作成し、これらの相状態図から求められたものである。
【００４３】
角栓の皮膚最表面に露出している頭部分は、毛穴周りの汚れと皮膚からの代謝物が複雑に絡み合っている。この部分の汚れは、他の皮膚表面の汚れに比べて除去しにくく、角栓を除去する際の妨げとなる。また、毛穴内部に存在する角栓の胴体部分は、毛穴内部の皮脂と皮膚からの代謝物によって硬い固形状になっており、剤が毛穴に入りにくいため除去しにくい。本発明の洗浄剤組成物は、洗浄する際にＯ／Ｗ相、等方性1液相、油相の順に相変化することにより、角栓の頭部と胴体部の汚れの除去に適した相で順に洗浄できるため、従来の肌にシート等を貼るタイプのものでしか除去できなかった硬い固形状の毛穴汚れ、特に角栓を洗顔で簡便に除去できる。さらに、水で肌をすすぐと、洗浄剤組成物は、油相、等方性1液相、Ｏ／Ｗ相の順に相変化し、最終的に連続相が水相となり肌から除去されるため、洗い上がりの肌感触が良好となる。
【００４４】
（その他成分）
なお、本発明の洗浄剤組成物には、更に洗浄剤に通常用いられる成分、増粘剤、殺菌剤、保湿剤、高粘度の油剤、湿潤剤、着色剤、防腐剤、感触向上剤、香料、酸化防止剤、各種の抽出液等を、適宜含有させることができる。
【００４５】
なお、本実施形態の洗浄剤組成物は、安定した等方性1液相の構築の観点からイオン性界面活性剤を多く含まないことがよく、１．０％未満であることが好ましい。さらには、０．１％以下であることが好ましく、特には含まないことが好ましい。
【００４６】
本発明の洗浄剤組成物は、洗顔料、メイク落とし、ボディー洗浄料、マッサージ剤、角栓除去剤として使用でき、特に洗顔料、角栓除去剤として使用することが好ましく、さらに、角栓除去剤として使用することが好ましい。
【００４７】
本発明の洗浄剤組成物は、使用部位として、角栓詰まりがある毛穴を有する皮膚に用いることができる。例として、全身、全顔、額から鼻にかけての周囲（Ｔゾーン）、等の気になる毛穴部分に用いることができる。角栓除去によって、毛穴目立ちの改善、ざらつきの改善、べたつきの改善、ニキビ予防の効果が期待できる。
【００４８】
本発明の洗浄剤組成物は、炭素数が２以上、６以下であり、水酸基が１または２である化合物（成分（Ｃ））と、特定の水溶性ポリマー（成分（Ｄ））、及び水（成分（Ｅ））を均一に混合し、水酸化ナトリウムや水酸化カリウム等のアルカリ剤を添加して中和し、その後、非イオン界面活性剤（成分（Ａ））、油剤（成分（Ｂ））を添加することで得られる。常温で固体の原料を含む場合については加熱溶融又は他の成分に溶解した後に、全成分を均一に混合することより製造することができる。
【００４９】
なお、本発明は前述の実施形態に限定されるものではなく、本発明の目的を達成できる範囲での変形、改良等は本発明に含まれるものである。
【実施例】
【００５０】
次に、本発明の実施例について説明する。
（実施例１〜２０、比較例１〜７）
【００５１】
（製造方法）
（実施例１〜２０）
表１に示す組成の洗浄剤組成物を製造した。表１の各成分の単位は、質量％である。具体的には、成分（Ｃ）、（Ｄ）、（Ｅ）に必要に応じて保湿剤（ソルビトール、グリセリン）さらには、必要に応じてポリプロピレングリコール、水添ポリイソブテンを加え、攪拌して全成分を均一に混合した。そして、この混合物に水酸化カリウムを添加して中和した。ついで、成分(Ａ)、(Ｂ)、香料を均一に分散させることにより洗浄剤組成物を得た。
【００５２】
室温で固体の成分のある場合、あるいは室温での混合によってゲル状成分を生成する場合には、溶解させるために、攪拌しながら７０〜７５℃で加熱した。十分に溶解させた後に、室温に戻して、洗浄剤組成物を得た。
（比較例１〜７）
表２に示す組成の洗浄剤組成物を製造した。表２の各成分の単位は、質量％である。成分（Ｃ）、（Ｄ）、（Ｅ）を混合し（成分（Ｃ）、（Ｄ）は、必要に応じて添加）、さらに必要に応じて保湿剤（ソルビトール、グリセリン）、さらには、必要に応じて、流動パラフィンを加え、攪拌して全成分を均一に混合した。そして、この混合物に水酸化カリウムを添加して中和した。ついで、成分(Ａ)、(Ｂ)（必要に応じて）、香料を均一に分散させることにより洗浄剤組成物を得た。
【００５３】
各実施例、比較例にて得られた洗浄剤組成物について、外観の観察、光学偏光顕微鏡による観察、相状態図の作成、ＮＭＲによる自己拡散係数の測定等により、相状態を確認した。結果を表１に併せて示す。
なお、表１〜表３中に記載された粘度の値は、ＢＭ型粘度計（トキメック社製、測定条件：ローターNo.１、60rpm、３０℃）により測定したものである。
【００５４】
（評価方法）
（１）角栓除去効果：  
健常パネル５名を用いて実施例、比較例で作製した洗浄剤組成物で小鼻を洗浄する試験を行い、洗浄前後の小鼻に存在する角栓数をそれぞれ計測した。即ち、実施例、比較例で作製した洗浄剤組成物１ｇを鼻部分のみに塗布し、３０秒間マッサージを行い、その後、水で１分間すすいだ。
次に、（式１）により角栓除去率を求め評価した。
角栓除去率＝１００−（使用後小鼻上１cm2中に存在する角栓数）／（使用前小鼻上１cm2中に存在する角栓数）×１００（式１）
（２）洗い上がりの肌感触
女性評価パネル８名にて、洗い上がりの肌感触について以下の基準で官能評価し、８名の合計点を求めた。その結果を表１に併せて示す。
３：しっとりとうるおった肌になったと感じた。
２：ややべたつきがある、もしくはやや肌がかさかさすると感じた。
１：べたつきが多い、もしくは肌がかさかさになったと感じた。
【００５５】
表１の結果より、実施例１〜２０の洗浄剤組成物は、角栓除去効果、洗い上がりの肌感のいずれをも満足する優れた洗浄剤組成物であった。
また、実施例１〜２０の洗浄剤組成物は、肌に塗布するものであるため、簡便に使用できるものであった。また、肌に塗布した後、洗浄するものであるため、シート剤を肌に貼り付けて剥がすものに比べ、刺激性が少ないものであった。それに対して比較例では、いずれの評価項目をも満足するものは得られなかった。なお、比較例２の洗浄剤組成物は、界面活性剤が水相に可溶化したものであり、相変化はしない。比較例５，７の洗浄剤組成物は、連続相が等方性1液相となっているものであるが、マッサージ中にＯ／Ｗエマルジョン、等方性１液相、油相の順に変化しないため表２に示すように、角栓除去効果が低いものとなっていることがわかる。
【００５６】
【表１】
2011012252.tif 000003
2011012252.tif 000004
【００５７】
【表２】
2011012252.tif 000005
【００５８】
（実施例２１）
表３に示す配合の洗浄剤組成物を作製した。表３の各成分の単位は、質量％である。具体的には、成分（Ｃ）、（Ｄ）、（Ｅ）を混合し、攪拌して全成分を均一に混合した。そして、この混合物に水酸化カリウムを添加して中和した。ついで、成分(Ａ)、(Ｂ)、香料を均一に分散させることにより洗浄剤組成物を得た。得られた洗浄剤組成物について、外観の観察、光学偏光顕微鏡による観察、相状態図の作成、ＮＭＲによる自己拡散係数の測定等により、相状態を確認した。得られた洗浄剤組成物は、Ｏ／Ｗ型のエマルジョンであった。
【００５９】
【表３】
2011012252.tif 000006
【００６０】
実施例２1は、角栓除去効果に優れ、洗い上がりの肌がしっとりとうるおった感じであった。
なお、連続相が水相からなるＯ/Ｗ型の実施例１〜２１の洗浄剤組成物を皮膚に塗布すると、この剤から、水分が蒸発して、等方性一液相（バイコンティニュアス相）からなる剤となることがわかる。そして、さらに、等方一液相からなる前記剤から、水分が蒸散すると、連続相が油相に相変化し、連続相が油相からなる前記剤となる。さらに、水で肌をすすぐと、洗浄剤組成物は、油相、等方性1液相、Ｏ／Ｗ相の順に相変化し、最終的に連続相が水相となる。
【図１】
2011012252.tif 000007
【図２】
2011012252.tif 000008
【図３】
2011012252.tif 000009